(57)【要約】【課題】遊技盤に設けられた部品を透過性パネルよりも前側に配置することを図る。【解決手段】遊技盤５には遊技部品１２が設けられ、透過性パネル１０には開口部１３が形成され、遊技盤５が可動枠３に格納され、透過性パネル１０が閉じられることで、遊技部品１２の前部が開口部１３を後側から前側に挿入されて透過性パネル１０よりも前方に突出する。遊技部品１２に内蔵されたスイッチ１５が操作されることで、スイッチ１５のオン信号が制御装置１１に入力されることで、スイッチ１５は遊技者を遊技に介入させるために使われる。スイッチ機能を持たない遊技部品１２であっても、遊技部品１２の前部が透過性パネル１０よりも前方に突出し、立体感を遊技者に与えることができる。【選択図】        図１
2004229989.tif 000002
【特許請求の範囲】
【請求項１】
遊技部品を遊技盤よりも前方に突出する格好で遊技盤に設ける一方、遊技機枠に開閉可能に設けられた透過性パネルに前後方向に貫通する開口部を形成し、遊技機枠に遊技盤を格納して透過性パネルが閉じられることで、遊技部品の前部が開口部に後側から前側に挿入されることを特徴とするパチンコ機。
【請求項２】
遊技部品の内部にスイッチを設け、遊技部品の前部にスイッチ操作体を設けたことを特徴とするパチンコ機。
【請求項３】
スイッチ部品を遊技盤よりも前方に突出する格好で遊技盤に設ける一方、遊技機枠に開閉可能に設けられた透過性パネルにスイッチ操作部品を前後方向に貫通して設け、遊技機枠に遊技盤を格納して透過性パネルが閉じられた状態において、スイッチ操作部品が操作されることでスイッチ部品を動作することを特徴とするパチンコ機。
【発明の詳細な説明】
【０００１】
【発明の属する技術分野】
本発明はパチンコ機であって、特に、遊技者と対面するガラスまたは合成樹脂からなる透過性パネル周りの前部構造に関する。
【０００２】
【従来の技術】
図５は従来のパチンコ機の前部構造を示す。これは、ＣＲＴ表示器５１の表示画面５２が遊技盤５の前面である遊技領域よりも前方に位置する格好で、ＣＲＴ表示器５１が遊技盤５に取り付けられる一方、図外の遊技機枠に開閉可能に設けられた透過性パネル５３が前ガラス５４と後ガラス５５とで形成され、後ガラス５５に前後に貫通する開口部が形成される。そして、遊技盤５が遊技機枠に格納され、透過性パネル５３が閉じられることで、ＣＲＴ表示器５１の前部が開口部を後方から前方に貫通し、表示画面５２が前ガラス５４と対面させられている（例えば、特許文献１参照）。
【０００３】
【特許文献１】
特開平７−２９９１８７号公報（第頁、図１）
【０００４】
【発明が解決しようとする課題】
しかしながら、従来例は透過性パネル５３が閉じられた遊技可能な状態において、後ガラス５５を貫通したＣＲＴ表示器５１の前部が前ガラス５４で覆われているため、遊技盤５に設けたＣＲＴ表示器５１を前ガラス５４よりも前方に配置することができないという問題点があった。また、遊技盤５にＣＲＴ表示器５１に代わる部品を設けたとしても、当該部品が前ガラス５４よりも後側に配置されているので、当該部品による立体感を遊技者に与えることができないという問題点がある。また、遊技者が当該部品に手を触れたり当該部品を手で操作したりすることができないという問題点もある。
【０００５】
そこで、本発明は、遊技盤に設けられた部品を透過性パネルよりも前側に配置することができるパチンコ機を提供するものである。
【０００６】
【課題を解決するための手段】
本発明にあっては、遊技部品を遊技盤よりも前方に突出する格好で遊技盤に設ける一方、遊技機枠に開閉可能に設けられた透過性パネルに前後方向に貫通する開口部を形成し、遊技機枠に遊技盤を格納して透過性パネルが閉じられることで、遊技部品の前部が開口部に後側から前側に挿入されることによって、透過性パネルが閉じられたパチンコ機の遊技可能な状態において、遊技部品の前部が透過性パネルよりも前方に突出し、立体感を遊技者に与えることができる。また、本発明にあっては、遊技部品の内部にスイッチを設け、遊技部品の前部にスイッチ操作体を設けるか、または、スイッチ部品を遊技盤よりも前方に突出する格好で遊技盤に設ける一方、遊技機枠に開閉可能に設けられた透過性パネルにスイッチ操作部品を前後方向に貫通して設け、遊技機枠に遊技盤を格納して透過性パネルが閉じられた状態においてスイッチ操作部品が操作されることでスイッチ部品を動作することによって、遊技者が透過性パネルの前側からスイッチ操作部品を操作して透過性パネルの裏側のスイッチ部品を操作することができる。
【０００７】
図１−図３は第１実施形態であって、図１はパチンコ機の正面を示し、図２はパチンコ機の前部構造の断面を示し、図３は遊技部品の断面を示す。
【０００８】
図１を参照し、パチンコ機について説明する。パチンコ機の遊技機枠１では額縁状の固定枠２の前側に可動枠３がヒンジ４で前側横方向に片開き可能に取り付けられる。固定枠２は遊技店の遊技機設置設備に取り付けるための枠である。可動枠３には遊技盤５が交換可能に取り付けられる。可動枠３の下部前側には図外の発射機構を備える。可動枠３は前側に遊技盤５の前側を覆う飾り枠６、受皿７、発射操作機構８を備える。
【０００９】
可動枠３は固定枠２に設けられた施錠装置９に図外の鍵（キープレート）を差し込んで、鍵を例えば右側に９０度回転操作することで、施錠装置９が固定枠２と可動枠３とを掛け止めている図外のロック機構をアンロックに動作する。このアンロック下において、人が可動枠３を前側に開くことが可能となる。可動枠３が開かれた状態において、人が鍵を施錠装置９から抜き、可動枠３を後側に閉じることで、可動枠３が固定枠２にロック機構でロックされると、可動枠３は開けられなくなる。
【００１０】
飾り枠６は中央にガラスまたは合成樹脂からなる透過性パネル１０を備える。飾り枠６は可動枠３または固定枠２に図外のヒンジで前側横方向に片開き可能に取り付けられる。飾り枠６は上記施錠装置９に差し込まれた鍵を例えば左側に９０度回転操作することで、施錠装置９が固定枠２と飾り枠６とを掛け止めている図外のロック機構をアンロックに動作する。このアンロック下において、人が飾り枠６を前側に開くことが可能となる。飾り枠６が開かれた状態において、人が鍵を施錠装置９から抜き、飾り枠６を後側に閉じることで、飾り枠６が固定枠２にロック機構でロックされると、飾り枠６は開けられなくなる。
【００１１】
受皿７は可動枠３に図外のヒンジで前側横方向に片開き可能に取り付けられる。飾り枠６が開かれた状態において、人がロック操作体を操作することで、受皿７を開くことが可能となる。可動枠３と飾り枠６および受皿７が閉じられ、受皿７に球が入れられ、可動枠３の裏側または遊技盤５の裏側に設けられた制御装置１１が電力供給で起動した状態において、人が発射操作機構８は例えば右回りに回転操作すると、発射操作機構８が操作に応じて変化した可変抵抗値のような操作量を制御装置１１に出力し、制御装置１１が発射機構を制御し、発射機構が受皿７から供給された球を１個ずつ遊技盤５の遊技領域に向けて発射操作機構８からの操作量に応じた発射力で発射する。遊技領域に発射された球が遊技領域に配置された入賞部品に入賞すると、制御装置１１が図外の払出機構を制御し、払出機構が賞としての球を受皿７に払い出す。
【００１２】
とりわけ、第１実施形態の場合、次のような前部構造を備える。遊技盤５には遊技部品１２が設けられ、透過性パネル１０には開口部１３が形成され、遊技盤５が可動枠３に格納され、透過性パネル１０が閉じられることで、遊技部品１２の前部が開口部１３を後側から前側に挿入されて透過性パネル１０よりも前方に突出する。
【００１３】
図２を参照し、前部構造について説明する。透過性パネル１０の開口部１３は透過性パネル１０に装着された弾性を有するゴムまたは弾性を有する合成樹脂からなるブーツ１４を備える。遊技部品１２は内部にスイッチ１５を備え、前部にスイッチ操作体１６を備え、裏面にコネクタ１７を備え、外周面に鍔１８およびブラケット１９を備える。鍔１８は遊技部品１２における部品ケース２６の外周面の周方向全域に設けられた環状である。そして、コネクタ１７が遊技盤５に形成された逃孔２０に前側から挿入され、止ねじ２１がブラケット１９に形成された図３の貫通孔２２から遊技盤５に締結されることで、遊技部品１２が遊技盤５に取り付けられる。
【００１４】
この遊技盤５が図１の可動枠３に格納され、透過性パネル１０が閉じられると、遊技部品１２の前部が開口部１３を後側から前側に挿入されて透過性パネル１０よりも前方に突出する一方、遊技部品１２におけるスイッチ操作体１６を取り囲む部品ケース２６と鍔１８とブーツ１４とが互いに接触して開口部１３と遊技部品１２との間の隙間を閉鎖することで、図外のピアノ線のような不正操作部材が透過性パネル１０の前側から開口部１３と遊技部品１２との間の隙間を経由して透過性パネル１０と遊技盤５との間の空間２３に進入することを防止することができる。符号２４は遊技盤５に設けられた球飛びの妙を生むための遊技釘、符号２５はコネクタ１７に接続される図１の制御装置１１からの相手側コネクタである。
【００１５】
図３を参照し、遊技部品１２の内部構造について説明する。遊技部品１２の部品ケース２６は内部に裏面開放状の収納室２７を備え、収納室２７の前面を覆う前壁に収納室２７の横幅よりも小径な口径の貫通孔２８を備え、収納室２７の内部に基板取付部２９を備え、収納室２７の後側周縁部に基板取込室３０を備える。スイッチ操作体１６は貫通孔２８に前後方向に挿入可能な形態であって、スイッチ操作体１６の外周面に環状の溝３１を備え、溝３１に装着された環状のばね受体３２を備え、裏面中央部に突起３３を備える。スイッチ基板３４は回路基板で形成されており、スイッチ基板３４の表面にはスイッチ１５が実装され、スイッチ基板３４の裏面にはコネクタ１７が実装される。
【００１６】
そして、スイッチ操作体１６が部品ケース２６の後側から収納室２７に挿入されることで、スイッチ操作体１６におけるばね受体３２よりも前部が貫通孔２８を経由して部品ケース２６よりも前側に突出する。その状態において、コイルスプリングのようなばね３５がスイッチ操作体１６におけるばね受体３２よりも後部に非接触に外嵌装着される。その後、筒状のばね受体３６が収納室２７に裏側から挿入され、スイッチ１５がばね受体３６の内部に挿入され、スイッチ基板３４が基板取込室３０に格納された状態において、止ねじ３８がスイッチ基板３４に形成された図外の貫通孔から基板取付部２９に締結されると、ばね受体３２が部品ケース２６の貫通孔２８周りに接触し、ばね受体３２がスイッチ基板３４で支持され、ばね３５の両端部がばね受体３２とばね受体３６とに接触するのに伴い、ばね３５が圧縮することで、スイッチ操作体１６ががたつくことなく部品ケース２６に支持され、突起３３とスイッチ１５のスイッチ突起３７とが前後方向で対面する。
【００１７】
第１実施形態の構造によれば、透過性パネル１０が閉じられ、制御装置１１が電力供給で起動した遊技可能な状態において、遊技者が透過性パネル１０の前側からスイッチ操作体１６を操作することでスイッチ１５を操作することができる。このスイッチ１５が操作されることで、スイッチ１５のオン信号が制御装置１１に入力された場合の使い方としては遊技者を遊技に介入させるために使う。例えば、図１において、遊技盤５の遊技領域に発射された球が始動入賞部品３９に入賞すると、始動入賞部品３９に入賞した球を検出した図外の始動入賞球検出器が始動入賞信号を制御装置１１に出力し、制御装置１１に格納されたマイクロコンピュータが始動入賞信号の入力タイミングで当たり外れ抽選処理および図柄変動処理を実行し、図柄表示器４０が図柄変動を開始から制御装置１１のマイクロコンピュータ１を動作するためのプログラムの格納されたＲＯＭに格納された図柄停止時間後に当たり外れ抽選を反映すべく停止するパチンコ機において、遊技者が開始された図柄表示器４０による図柄変動中にスイッチ操作体１６を操作し、スイッチ１５のオン信号が制御装置１１に入力されるのに伴い上記図柄停止時間を無視して図柄表示器４０による図柄変動を抽選処理の結果を反映すべく停止する。スイッチ１５からのオン信号の使い方は、これに限定されるものではなく、スイッチ１５からオン信号が制御装置１１に入力されることで、制御装置１１が始動入賞記憶可能数を抽選したり、図柄表示器４０で表示される図柄変動に伴う演出表示のプログラムを切り替えたりすることなど種々提供することができる。
【００１８】
第１実施形態では遊技部品１２がスイッチ１５を内蔵したスイッチ部品を形成したが、これに限定されるものではなく、スイッチ機能を持たない遊技部品１２であっても、遊技部品１２の前部が透過性パネル１０よりも前方に突出し、立体感を遊技者に与えることができる。
【００１９】
図４は第２実施形態に係るパチンコ機の前部構造の断面を示し、スイッチ部品４１が遊技盤５よりも前方に突出する格好で遊技盤５に設けられ、スイッチ部品４１と別体のスイッチ操作部品４２が透過性パネル１０に前後方向に貫通して設けられ、遊技盤５が遊技機枠１に格納され、透過性パネル１０が閉じられた状態において、スイッチ操作部品４２が操作されることで、スイッチ部品４１を動作するようになっている。具体的には、スイッチ部品４１は、スイッチ１５とコネクタ１７の実装されたスイッチ基板３４が筒状の部品ケース４３の基板取込室３０に格納された状態において、止ねじ３８がスイッチ基板３４に形成された図外の貫通孔から基板取付部２９に締結される。そして、コネクタ１７が遊技盤５に形成された逃孔２０に前側から挿入され、止ねじ２１がブラケット１９に形成された貫通孔２２から遊技盤５に締結されることで、遊技部品１２が遊技盤５に取り付けられる。
【００２０】
スイッチ操作部品４２はスイッチ操作体１６が部品ケース４４の後側から収納室２７に挿入されることで、スイッチ操作体１６におけるばね受体３２よりも前部が貫通孔２８を経由して部品ケース４４よりも前側に突出する。その状態において、コイルスプリングのようなばね３５がスイッチ操作体１６におけるばね受体３２よりも後部に非接触に外嵌装着される。その後、筒状のばね受体３６が収納室２７に裏側から挿入されて部品ケース４４に固定されると、ばね受体３２が部品ケース４４の貫通孔２８周りに接触し、ばね３５の両端部がばね受体３２とばね受体３６とに接触するのに伴い、ばね３５が圧縮することで、スイッチ操作体１６ががたつくことなく部品ケース４４に支持される。この部品ケース４４が透過性パネル１０に装着されたブーツ１４の開口部１３に裏側から挿入され、スイッチ操作体１６を取り囲む部品ケース４４の前面とブーツ１４とが互いに接触するとともに鍔１８の前面とブーツ１４とが互いに接触して開口部１３と遊技部品１２との間の隙間を閉鎖するように、部品ケース４４がブーツ１４に固定される。そして、透過性パネル１０が閉じられることで、突起３３とスイッチ１５のスイッチ突起３７とが前後方向で対面する。
【発明の実施の形態】
【図面の簡単な説明】
【図１】第１実施形態のパチンコ機を示す正面図。
【図２】第１実施形態のパチンコ機の前部構造を示す断面図。
【図３】第１実施形態の遊技部品を示す断面図。
【図４】第２実施形態のパチンコ機の前部構造を示す断面図。
【図５】従来例を示す断面図。
【符号の説明】
１  遊技機枠
５  遊技盤
１０  透過性パネル
１２  遊技部品
１３  開口部
１４  ブーツ
１５  スイッチ
１６  スイッチ操作体
４１  スイッチ部品
４２  スイッチ操作部品
４３  部品ケース
４４  部品ケース
【図１】
2004229989.tif 000003
【図２】
2004229989.tif 000004
【図３】
2004229989.tif 000005
【図４】
2004229989.tif 000006
【図５】
2004229989.tif 000007